(57)【要約】      （修正有）【課題】アロマ効果等の加熱された揮発性材料の揮発による作用を得ることのできる湯たんぽを提供する。【解決手段】本体内部１０ｃに熱湯を注入して温熱効果を得るアロマ湯たんぽ１において、熱湯を本体内部１０ｃに注入する注入口１０ｄを塞ぐキャップ２の内部に、表面側への通気可能にアロマゼリー３０の収容を許容する収容部２１ａを備えるとともに、キャップカバー２３の収容部２１ａの表面側を、通気可能に覆うキャップカバー２３を備えた。また、キャップ本体２１やキャップカバー２３をポリカで形成するとともに、本体１０を波板状の銅板で形成した。【選択図】図９
0003132054.tif 000002
【実用新案登録請求の範囲】
【請求項１】
本体内部に加熱流動体を注入して温熱効果を得る湯たんぽであって、
前記加熱流動体を内部に注入する注入口を塞ぐ栓体の内部に、
表面側への通気可能に揮発性材料の収容を許容する収容空間を備えた
湯たんぽ。
【請求項２】
前記栓体に、
前記収容空間の表面側を、通気可能に覆う覆体を備えた
請求項１に記載の湯たんぽ。
【請求項３】
前記栓体を、
樹脂材で形成した
請求項１、又は請求項２に記載の湯たんぽ。
【請求項４】
前記本体を、
金属部材で形成した
請求項１、２或いは３に記載の湯たんぽ。
【請求項５】
前記栓体を、
前記本体に対して螺挿する構成とし、
前記栓体に、
径方向に拡張された拡張部分を有する握持部を備えた
請求項１から請求項４のうちいずれかに記載の湯たんぽ。
【請求項６】
前記栓体に、
リング状で、断面略円形のパッキンを備えた
請求項１から請求項５のうちいずれかに記載の湯たんぽ。
【請求項７】
前記揮発性材料は、
揮発性物質が含有されたシート状で構成された
請求項１から請求項６のうちいずれかに記載の湯たんぽ。
【考案の詳細な説明】
【技術分野】
【０００１】
この考案は、本体内部に加熱流動体を注入して温熱効果を得る湯たんぽに関する。
【背景技術】
【０００２】
従来から、本体内部に熱湯等の加熱流動体を注入して温熱効果を得る湯たんぽにおいて、温熱効果に加えた効果を有する湯たんぽについて様々なものが提案されている。例えば、上面に突起を設け、内部に注入した熱湯の温熱効果によって、上記突起の指圧効果を向上させる湯たんぽが提案されている（特許文献１参照）。
【０００３】
しかし、この特許文献１における湯たんぽの場合、指圧に慣れている利用者にとっては温熱効果によって向上された指圧効果を得ることができるが、痛みを伴う指圧に慣れていない利用者にとっては満足できるものではなかった。
【特許文献１】実用新案登録第３１２６５８３号公報
【考案の開示】
【考案が解決しようとする課題】
【０００４】
本考案は、例えばアロマ効果等の加熱された揮発性材料の揮発による作用を得ることのできる湯たんぽの提供を目的とする。
【課題を解決するための手段】
【０００５】
この考案は、本体内部に加熱流動体を注入して温熱効果を得る湯たんぽであって、前記加熱流動体を内部に注入する注入口を塞ぐ栓体の内部に、表面側への通気可能に揮発性材料の収容を許容する収容空間を備えたことを特徴とする。
【０００６】
上記加熱流動体は、熱湯や温水のように加熱された水等の液体、或いは加熱された保温ジェル等であることを含む。  
揮発性材料は、アロマ成分であるエッセンシャルオイル等を含有する材料であることを含む。
【０００７】
これにより、本体内部に加熱流動体を注入し、上記収容空間に揮発性材料を収容した栓体で注入口を塞いだ湯たんぽを使用することによって、湯たんぽとしての温熱効果を得ることができるとともに、揮発性材料が加熱流動体によって加熱されて揮発した揮発性材料の有効成分が表面側に通気することによって、例えばアロマ効果等の揮発性材料による作用を得ることができる。
【０００８】
この考案の態様として、前記栓体に、前記収容空間の表面側を、通気可能に覆う覆体を備えることができる。  
上記通気可能に覆う覆体は、表面に複数のスリットや貫通孔を備えた覆体、或いは相互に連通する多孔性物質等の通性物質で形成した覆体であることを含む。  
これにより、収容空間に収容した揮発性材料が、使用中に栓体外部に抜け出ることを防止でき、例えば、アロマ効果のような揮発性材料による作用を確実に得ることができる
また、この考案の態様として、前記栓体を、樹脂材で形成することができる。  
上記樹脂材は、例えば真鍮で形成された栓体と略同等の強度的機能を有するものであれば殊に限定しないが、例えば、ポリカーボネート（以下においてポリカを示す）や高密度ポリエチレン等であることを含む。
【０００９】
上記ポリカ等の樹脂材は加工が容易であるため、所望の形状に栓体を形成することができる。したがって、例えば、上記揮発性材料がより効率的に揮発する形状を容易に形成できる。
【００１０】
また、この考案の態様として、前記本体を、金属部材で形成することができる。  
また、金属部材は、例えば、銅、真鍮、アルミ二ウム、ステンレス、或いは鉄や、スーパーダイマ鋼板などの金属合金やこれら金属にメッキを施したものであることを含むものとする。  
これにより、熱伝導率が高く、強度及び耐久性のある湯たんぽを構成することができ、利用者の満足度を向上することができる。
【００１１】
また、この考案の態様として、前記栓体を、前記本体に対して螺挿する構成とし、前記栓体に、径方向に拡張された拡張部分を有する握持部を備えることができる。
【００１２】
これにより、利用者は握持部を握持して、栓体を螺入出することができる。また、握持部に径方向に拡張された拡張部分が存在するため、少ない力で栓体の螺入出を実現でき、利用者の利便性を向上することができる。
【００１３】
また、この考案の態様として、前記栓体に、リング状で、断面略円形のパッキンを備えることができる。  
上記パッキンは、注入口と栓体との間に配置され、本体内部に注入された加熱流動体がこぼれ出ることを防ぐものであり、伸縮性を有するゴム製材料で形成されているものを含む。
【００１４】
上記構成により、本体内部から加熱流動体がこぼれ出ることを防ぐとともに、注入口とパッキン、及び栓体とパッキンのそれぞれの接触部分が略線接触となり、パッキンを備えたことによる栓体の螺出における回転負荷の増加を抑制している。
【００１５】
また、この考案の態様として、前記揮発性材料を、揮発性物質が含有されたシート状で構成することができる。  
これにより、収容空間にシート状の揮発性材料を容易に収容することができる。
【考案の効果】
【００１６】
本考案の湯たんぽを使用することによって、例えばアロマ効果等の加熱された揮発性材料の揮発による作用を得ることができる。
【考案を実施するための最良の形態】
【００１７】
この考案の一実施形態を、以下図面を用いて説明する。  
キャップカバー２３を取り外した状態のアロマ湯たんぽ１の斜視図を示す図１、同状態のアロマ湯たんぽ１の正面図を示す図２、同状態のアロマ湯たんぽ１の背面図を示す図３、同状態のアロマ湯たんぽ１の右側面図を示す図４、同状態のアロマ湯たんぽ１の左側面図を示す図５、同状態のアロマ湯たんぽ１の平面図を示す図６、同状態のアロマ湯たんぽ１の底面図を示す図７、同状態のアロマ湯たんぽ１の右側面図中央縦断面図を示す図８、アロマ湯たんぽ１のキャップ２の構成を説明する説明図を示す図９、アロマ湯たんぽ１のアロマ効果を説明する説明図を示す図１０、並びに図１に示すａ部分の拡大図を示す図１１とともに、アロマ湯たんぽ１について説明する。
【００１８】
アロマ湯たんぽ１は、図１から図８に示すように、底面１０ａが一部に平面部分を有する形状、且つ上面１０ｂがドーム状の曲面で構成され、本体内部１０ｃに熱湯を注入できる中空の本体１０で構成されている。
【００１９】
底面１０ａおよび上面１０ｂは、奥行き方向に連続する曲線の波板状の銅板を立体構成するとともに、それぞれの周縁部を側方で加締めて上記形状を構成している。なお、上面１０ｂの平面視略中央には、本体内部１０ｃへの熱湯の注入を許容する注入口１０ｄを備え、該注入口１０ｄを平面視円形のキャップ２で塞いでいる。注入口１０ｄは平面視円形の開口であり、内側面に後述するキャップ本体２１の螺挿部２１ｂの外周面に備えたねじ山と螺着するねじ山を備えている。また、本体内部１０ｃには、図示省略する支柱を設置して、上面１０ｂを補強している。
【００２０】
キャップ２は、平面視円形の上面開放のキャップ本体２１と、キャップ本体２１の側面から径方向に突出し、キャップ本体２１に対して枢動可能に備えられた略コの字形状の握持ハンドル２２と、キャップ本体２１の上面を塞ぐキャップカバー２３とで構成している。
【００２１】
キャップ本体２１はポリカ製であり、上面開放された平面視円形かつ縦断面視略逆ハット状であり、表面側内部で後述するアロマゼリー３０を収容する収容部２１ａを構成している。また、キャップ本体２１の下側を鉤状に径方向内側に絞って、注入口１０ｄへ螺挿する螺挿部２１ｂを形成し、該螺挿部２１ｂの外周面にねじ山を備えている。
【００２２】
収容部２１ａの上部の内周面には、径内側向きの６つのリブ２１ｃを周方向に等間隔に隔てて配置し、その外側面の対向する２ヶ所に、平面視略コの字型の握持ハンドル２２を枢動可能に装着している。螺挿部２１ｂの外周側上端には、断面円形のリング状のゴムパッキン２４を嵌め込んでいる。
【００２３】
上記アロマゼリー３０は、上記キャップ本体２１の収容部２１ａよりわずかに小さな径の円筒形のゼリーであり、ゼラチンを主成分として構成している。  
なお、本実施例におけるアロマゼリー３０は、抑揚感が得られるようアロマ成分として果実をベースとした柑橘系のエッセンシャルオイルを含有させているが、フローラル系、ハーブ系、エキゾチック系、樹木系、樹脂系、或いはスパイス系のエッセンシャルオイルでもよく、またそれらをブレンドしたエッセンシャルオイルであっても良い。
【００２４】
また、上記エッセンシャルオイルを蝋に含有させて形成した円筒形のキャンドルや、エッセンシャルオイルを吸着させた円筒形のスポンジで構成してもよい。
【００２５】
キャップカバー２３は、キャップ本体２１の収容部２１ａの上方に装着可能な平面視略円形のキャップカバーであり、上面に複数の径で同心円状に配置したスリット２３ａを備え、外側面に上記リブ２１ｃの嵌合するリブ嵌合凹部２３ｂを備えている。なお、キャップカバー２３はポリカ製である。
【００２６】
このように構成したキャップ２及びアロマ湯たんぽ１は、キャップ本体２１の収容部２１ａにアロマゼリー３０を収容してから、収容部２１ａの上方にリブ嵌合凹部２３ｂをリブ２１ｃに合わせたキャップカバー２３を装着する。そして、本体内部１０ｃに熱湯１００を注入口１０ｄから注入した本体１０にキャップ２を螺挿する。詳しくは、図１１の矢印ｃ方向に示すように、キャップ本体２１に対して握持ハンドル２２を起こして、すなわち枢動させて握持ハンドル２２を握持して、螺挿部２１ｂのねじ山と注入口１０ｄのねじ山とを合わせてキャップ２を本体１０に螺挿する。このとき、ゴムパッキン２４は注入口１０ｄの上面とキャップ本体２１の鉤部分の底面との間で押圧された状態となり、密閉性を確保している。
【００２７】
この状態において、本体内部１０ｃに注入された熱湯１００によって、アロマ湯たんぽ１の温熱効果を得るとともに、熱湯１００によって暖められたアロマゼリー３０の表面が融解し、そのアロマ成分であるエッセンシャルオイルが揮発し、図１０（Ｂ）中の矢印ｂに示すように、その上方のスリット２３ａを通過してキャップカバー２３上方に発散される。
【００２８】
このように、本体内部１０ｃに熱湯１００を注入して温熱効果を得るアロマ湯たんぽ１に、熱湯１００を本体内部１０ｃに注入する注入口１０ｄを塞ぐキャップ２の内部に、表面側への通気可能にアロマゼリー３０の収容を許容する収容部２１ａを備えたことによって、利用者は、本体内部１０ｃに熱湯１００を注入し、収容部２１ａにアロマゼリー３０を収容したキャップ２で注入口１０ｄを塞いだアロマ湯たんぽ１を使用して温熱効果を得ることができる。そして、アロマゼリー３０が熱湯１００によって加熱され、アロマゼリー３０のアロマ成分であるエッセンシャルオイルが揮発して表面側に通気することによって、アロマゼリー３０による作用であるアロマ効果を得ることができる。したがって、柑橘系のエッセンシャルオイルを含有するアロマゼリー３０を用いた本実施例においては、アロマ湯たんぽ１を使用することによって、利用者は柑橘系のエッセンシャルオイルによる作用であるアロマ効果として抑揚感を得ることができる。
【００２９】
なお、本実施例において、加熱流動体として熱湯１００を用いたが、加熱可能な保温性ジェルを用いてもよい。これにより、熱湯１００より保温性ジェルの保温性が高く、持続性のある温熱効果及びアロマ効果による作用を得ることができる。
【００３０】
また、キャップ本体２１に、収容部２１ａの表面側を、通気可能に覆うキャップカバー２３を備えたことによって、収容部２１ａに収容したアロマゼリー３０が、使用中にキャップ本体２１外部に抜け出ることを防止でき、例えば、アロマゼリー３０によるアロマ効果の作用を確実に得ることができる
また、キャップ本体２１やキャップカバー２３をポリカで形成したことによって、キャップ本体２１やキャップカバー２３の形状を容易に、上記形状で形成することができる。よって、アロマゼリー３０のアロマ効果がより効率的に作用する上記形状を容易に形成することができる。
【００３１】
また、本体１０を波板状の銅板で形成したため、熱伝導率が高く、強度及び耐久性のあるアロマ湯たんぽ１を構成することができ、利用者の満足度を向上することができる。なお、本実施例においては上述したように、本体１０を波板状の銅板で形成したが、これに限定されず、真鍮、アルミ二ウム、ステンレス、或いは鉄や、スーパーダイマ鋼板などの金属合金やこれら金属にメッキを施したものの波板で形成してもよい。これにより、意匠性に富んだアロマ湯たんぽ１を構成したり、例えば、特定の金属へのアレルギー反応を有する利用者にとって、アレルギー反応が生じない金属でのアロマ湯たんぽ１を構成することができ、特定の金属へのアレルギー反応を有する利用者の満足を得ることができる。  
さらには、本体１０をポリカや高密度ポリエチレン等の樹脂材で構成してもよい。これにより、本体を所望の形状に容易に加工できる。
【００３２】
また、キャップ２に略コの字の握持ハンドル２２を備え、握持ハンドル２２をキャップ本体２１の径方向に突出する拡張部２２ａを有する形状で形成したことによって、利用者は握持ハンドル２２を握持してキャップ２を螺入出することができる。また、握持ハンドル２２にキャップ本体２１の径方向に突出する拡張部２２ａが存在するため、梃子の原理を利用した少ない力でのキャップ２の螺入出を実現でき、利用者の利便性を向上することができる。
【００３３】
さらに、断面円形のリング状のゴムパッキン２４を螺挿部２１ｂの外周側上端に装着したことによって密閉性を確保し、注入口１０ｄとキャップ２との間から本体内部１０ｃ注入された熱湯１００がこぼれ出ることを防ぐことができる。
【００３４】
また、ゴムパッキン２４を断面略円形のリング状のゴムパッキンで形成したため、注入口１０ｄ上面とゴムパッキン２４の下面、及びキャップ本体２１とゴムパッキン２４のそれぞれの接触部分が略線接触となり、キャップ２を本体１０から螺出する際であっても、ゴムパッキン２４とキャップ本体２１及び注入口１０ｄとの摩擦によるキャップ２の螺出における回転負荷の増加を抑制している。  
したがって、少ない力でキャップ２を螺出してキャップ２を本体１０から取外すことができる。
【００３５】
なお、円筒形ゼリー状のアロマゼリー３０の代替として、図１０（Ｃ）に示すように、アロマ成分を含有するシート状に形成されたアロマシート３１を収容部２１ａに収容してもよい。これにより、収容部２１ａにアロマシート３１を容易に収容して用いることでき、利用者の利便性を向上させることができる。  
また、アロマゼリー３０はアロマ成分としてエッセンシャルオイルを用いたが、加熱によって活性化される消臭材料や脱臭材料を用いてもよい。
【００３６】
また、本実施例においては、底面１０ａが一部に平面部分を有する形状、且つ上面１０ｂがドーム状の曲面で構成されたアロマ湯たんぽ１について説明したが、キャップカバー２３を取り外した状態のアロマ湯たんぽ１ａの斜視図を示す図１２、同状態のアロマ湯たんぽ１ａの正面図を示す図１３、同状態のアロマ湯たんぽ１ａの背面図を示す図１４、同状態のアロマ湯たんぽ１ａの右側面図を示す図１５、同状態のアロマ湯たんぽ１ａの左側面図を示す図１６、同状態のアロマ湯たんぽ１ａの平面図を示す図１７、同状態のアロマ湯たんぽ１ａの底面図を示す図１８、並びに同状態のアロマ湯たんぽ１ａの右側面図中央縦断面図を示す図１９に示すように、上面１０ｂがドーム状の曲面で構成されるとともに、底面１０ａが下方に凸なドーム状の曲面で構成したアロマ湯たんぽ１ａであってもよい。
【００３７】
このアロマ湯たんぽ１ａは、上記アロマ湯たんぽ１と異なり、上述したように、底面１０ａが下方に凸なドーム状の曲面で構成するとともに、上面１０ｂの奥行き方向に偏心した位置にキャップ２を備える。
【００３８】
また、キャップカバー２３を取り外した状態のアロマ湯たんぽ１ｂの斜視図を示す図２０、同状態のアロマ湯たんぽ１ｂの正面図を示す図２１、同状態のアロマ湯たんぽ１ｂの背面図を示す図２２、同状態のアロマ湯たんぽ１ｂの右側面図を示す図２３、同状態のアロマ湯たんぽ１ｂの左側面図を示す図２４、同状態のアロマ湯たんぽ１ｂの平面図を示す図２５、同状態のアロマ湯たんぽ１ｂの底面図を示す図２６、並びに同状態のアロマ湯たんぽ１ｂの右側面図中央縦断面図を示す図２７に示すように、底面１０ａとともに、上面１０ｂも一部に平面部分を有する形状で構成したアロマ湯たんぽ１ｂであってもよい。
【００３９】
このように、本体１０の形状にとらわれずとも、アロマ湯たんぽ１ａ及びアロマ湯たんぽ１ｂは上記アロマ湯たんぽ１と同様の効果を得ることができる。
【００４０】
この考案の構成と、上述の実施形態との対応において、
この考案の加熱流動体は、熱湯１００に対応し、
以下同様に、
湯たんぽは、アロマ湯たんぽ１，１ａ，１ｂに対応し、
内部は、本体内部１０ｃに対応し、
栓体は、キャップ２に対応し、
揮発性材料は、アロマゼリー３０に対応し、
収容空間は、収容部２１ａに対応し、
覆体は、キャップカバー２３に対応し、
拡張部分は、拡張部２２ａに対応し、
握持部は、握持ハンドル２２に対応し、
パッキンは、ゴムパッキン２４に対応し、
シート状の揮発性材料は、アロマシート３１に対応し、
樹脂材は、ポリカ対応し、
金属部材は、波板状の銅板に対応し、
揮発性物質は、エッセンシャルオイルに対応するも
この考案は、上述の実施形態の構成のみに限定されるものではなく、多くの実施の形態を得ることができる。
【図面の簡単な説明】
【００４１】
【図１】キャップカバーを取り外した状態のアロマ湯たんぽの斜視図。
【図２】同状態のアロマ湯たんぽの正面図。
【図３】同状態のアロマ湯たんぽの背面図。
【図４】同状態のアロマ湯たんぽの右側面図。
【図５】同状態のアロマ湯たんぽの左側面図。
【図６】同状態のアロマ湯たんぽの平面図。
【図７】同状態のアロマ湯たんぽの底面図。
【図８】同状態のアロマ湯たんぽの右側面図中央縦断面図。
【図９】アロマ湯たんぽのキャップの構成を説明する説明図。
【図１０】アロマ湯たんぽのアロマ効果を説明する説明図。
【図１１】図１に示すａ部分の拡大図。
【図１２】キャップカバーを取り外した状態の別の実施形態のアロマ湯たんぽの斜視図。
【図１３】別の実施形態の同状態のアロマ湯たんぽの正面図。
【図１４】別の実施形態の同状態のアロマ湯たんぽの背面図。
【図１５】別の実施形態の同状態のアロマ湯たんぽの右側面図。
【図１６】別の実施形態の同状態のアロマ湯たんぽの左側面図。
【図１７】別の実施形態の同状態のアロマ湯たんぽの平面図。
【図１８】別の実施形態の同状態のアロマ湯たんぽの底面図。
【図１９】別の実施形態の同状態のアロマ湯たんぽの右側面図中央縦断面図。
【図２０】キャップカバーを取り外した状態のさらに別の実施形態のアロマ湯たんぽの斜視図。
【図２１】さらに別の実施形態の同状態のアロマ湯たんぽの正面図。
【図２２】さらに別の実施形態の同状態のアロマ湯たんぽの背面図。
【図２３】さらに別の実施形態の同状態のアロマ湯たんぽの右側面図。
【図２４】さらに別の実施形態の同状態のアロマ湯たんぽの左側面図。
【図２５】さらに別の実施形態の同状態のアロマ湯たんぽの平面図。
【図２６】さらに別の実施形態の同状態のアロマ湯たんぽの底面図。
【図２７】さらに別の実施形態の同状態のアロマ湯たんぽの右側面図中央縦断面図。
【符号の説明】
【００４２】
１，１ａ，１ｂ…アロマ湯たんぽ
２…キャップ
１０…本体
１０ｃ…本体内部
１０ｄ…注入口
２１ａ…収容部
２２…握持ハンドル
２２ａ…拡張部
２３…キャップカバー
２４…ゴムパッキン
３０…アロマゼリー
３１…アロマシート
１００…熱湯
【図１】
0003132054.tif 000003
【図２】
0003132054.tif 000004
【図３】
0003132054.tif 000005
【図４】
0003132054.tif 000006
【図５】
0003132054.tif 000007
【図６】
0003132054.tif 000008
【図７】
0003132054.tif 000009
【図８】
0003132054.tif 000010
【図９】
0003132054.tif 000011
【図１０】
0003132054.tif 000012
【図１１】
0003132054.tif 000013
【図１２】
0003132054.tif 000014
【図１３】
0003132054.tif 000015
【図１４】
0003132054.tif 000016
【図１５】
0003132054.tif 000017
【図１６】
0003132054.tif 000018
【図１７】
0003132054.tif 000019
【図１８】
0003132054.tif 000020
【図１９】
0003132054.tif 000021
【図２０】
0003132054.tif 000022
【図２１】
0003132054.tif 000023
【図２２】
0003132054.tif 000024
【図２３】
0003132054.tif 000025
【図２４】
0003132054.tif 000026
【図２５】
0003132054.tif 000027
【図２６】
0003132054.tif 000028
【図２７】
0003132054.tif 000029